【手続補正書】
【提出日】平成21年1月27日(2009.1.27)
【手続補正１】
【補正対象書類名】特許請求の範囲
【補正対象項目名】全文
【補正方法】変更
【補正の内容】
【特許請求の範囲】
【請求項１】
媒体上に形成されたドットパターンを、スキャナを用いて読み取ることにより、種々のコンテンツデータを出力させるためのプログラムであって、
該ドットパターンを読み取り、以下のステップを開始するステップと、
該ドットパターンを解析しドットコードを復号するステップと、
ローカルな、ドットコードと行うべき処理が対応付けて登録されたドットコード管理テーブルと、該ドットコードと、を参照するステップと
を実行し、
さらに、
参照した結果、復号された該ドットコードが該ローカルなドットコード管理テーブルに登録されている場合は、
該ドットコードに対応するコンテンツデータを出力する第１の選択ステップか、
または、
参照した結果、復号された該ドットコードが該ローカルなドットコード管理テーブルに登録されていない場合は、
インターネット上のドットコード管理サーバ（ＧＡＭサーバ）にあるドットコード管理テーブルを参照し、
該ドットコードに対してのインストラクションにしたがって、指定されたＷｅｂサーバからのダウンロードまたはストリーミング配信によりコンテンツデータを出力すると共に、
該コンテンツデータをダウンロードした場合は、該ネットワーク上のドットコード管理テーブルから、該ドットコードの対応付けをダウンロードし、該ローカルなドットコード管理テーブルに追加する第２の選択ステップかのいずれかの選択ステップ
を実行する、コンテンツデータを出力させるための、コンピュータ実行可能なプログラムである、ＧＡＭプログラム。
【請求項２】
前記ＧＡＭプログラムは、
前記媒体上に形成された、ＩＤが定義されたドットパターンを、前記スキャナを用いて読み取るステップと、
該ドットパターンを解析しＩＤとしてのドットコードを復号するステップと、
個人情報およびパスワードが未登録の場合は、該ＩＤと対応付けて、該個人情報および該パスワードを登録するステップと
を最初のステップとして含み、
さらに、
コンテンツデータを出力するために個人認証が必要な場合は、該パスワードの入力と、該ＩＤの前記ドットコード管理サーバへの送信とにより、該個人認証を行うステップを含む
ことを特徴とする請求項１記載のＧＡＭプログラム。
【請求項３】
前記１または２に記載のＧＡＭプログラム、および該ＧＡＭプログラムのインストールプログラムを記憶した記憶媒体。
【請求項４】
請求項１または２に記載のＧＡＭプログラムを実行するＧＡＭ端末と、
該ＧＡＭ端末からのアクセスを、ネットワークを介して受け付ける、
ドットコードと行うべき処理が対応付けて登録されたドットコード管理テーブルを記憶したドットコード管理サーバである、ＧＡＭサーバと、からなる
ことを特徴とするＧＡＭシステム。
【請求項５】
請求項１または２に記載のＧＡＭプログラムを実行するＧＡＭ端末。
【請求項６】
複数のコンピュータからのアクセスを、ネットワークを介して受け付ける、
ドットコードと行うべき処理が対応付けて登録されたドットコード管理テーブルを記憶したドットコード管理サーバであって、
請求項１または２に記載のＧＡＭプログラムを実行するＧＡＭ端末からのアクセスを、ネットワークを介して受け付ける
ことを特徴とするドットコード管理サーバである、ＧＡＭサーバ。
【手続補正２】
【補正対象書類名】明細書
【補正対象項目名】０００６
【補正方法】変更
【補正の内容】
【０００６】
本発明の請求項１は、媒体上に形成されたドットパターンを、スキャナを用いて読み取ることにより、種々のコンテンツデータを出力させるためのプログラムであって、該ドットパターンを読み取り、以下のステップを開始するステップと、該ドットパターンを解析しドットコードを復号するステップと、ローカルな、ドットコードと行うべき処理が対応付けて登録されたドットコード管理テーブルと、該ドットコードと、を参照するステップとを実行し、さらに、参照した結果、復号された該ドットコードが該ローカルなドットコード管理テーブルに登録されている場合は、該ドットコードに対応するコンテンツデータを出力する第１の選択ステップか、または、参照した結果、復号された該ドットコードが該ローカルなドットコード管理テーブルに登録されていない場合は、インターネット上のドットコード管理サーバ（ＧＡＭサーバ）にあるドットコード管理テーブルを参照し、該ドットコードに対してのインストラクションにしたがって、指定されたＷｅｂサーバからのダウンロードまたはストリーミング配信によりコンテンツデータを出力すると共に、該コンテンツデータをダウンロードした場合は、該ネットワーク上のドットコード管理テーブルから、該ドットコードの対応付けをダウンロードし、該ローカルなドットコード管理テーブルに追加する第２の選択ステップかのいずれかの選択ステップを実行する、コンテンツデータを出力させるための、コンピュータ実行可能なプログラムである、ＧＡＭプログラムである。
【手続補正３】
【補正対象書類名】明細書
【補正対象項目名】０００９
【補正方法】変更
【補正の内容】
【０００９】
本発明の請求項２は、前記ＧＡＭプログラムは、前記媒体上に形成された、ＩＤが定義されたドットパターンを、前記スキャナを用いて読み取るステップと、該ドットパターンを解析しＩＤとしてのドットコードを復号するステップと、個人情報およびパスワードが未登録の場合は、該ＩＤと対応付けて、該個人情報および該パスワードを登録するステップとを最初のステップとして含み、さらに、コンテンツデータを出力するために個人認証が必要な場合は、該パスワードの入力と、該ＩＤの前記ドットコード管理サーバへの送信とにより、該個人認証を行うステップを含むことを特徴とする請求項１記載のＧＡＭプログラムである。
【手続補正４】
【補正対象書類名】明細書
【補正対象項目名】００１１
【補正方法】変更
【補正の内容】
【００１１】
本発明の請求項３は、前記１または２に記載のＧＡＭプログラム、および該ＧＡＭプログラムのインストールプログラムを記憶した記憶媒体である。
【手続補正５】
【補正対象書類名】明細書
【補正対象項目名】００１２
【補正方法】変更
【補正の内容】
【００１２】
本発明の請求項４は、請求項１または２に記載のＧＡＭプログラムを実行するＧＡＭ端末と、該ＧＡＭ端末からのアクセスを、ネットワークを介して受け付ける、ドットコードと行うべき処理が対応付けて登録されたドットコード管理テーブルを記憶したドットコード管理サーバである、ＧＡＭサーバと、からなることを特徴とするＧＡＭシステムである。
【手続補正６】
【補正対象書類名】明細書
【補正対象項目名】００１３
【補正方法】変更
【補正の内容】
【００１３】
本発明の請求項５は、請求項１または２に記載のＧＡＭプログラムを実行するＧＡＭ端末である。本発明の請求項６は、複数のコンピュータからのアクセスを、ネットワークを介して受け付ける、ドットコードと行うべき処理が対応付けて登録されたドットコード管理テーブルを記憶したドットコード管理サーバであって、請求項１または２に記載のＧＡＭプログラムを実行するＧＡＭ端末からのアクセスを、ネットワークを介して受け付ける
ことを特徴とするドットコード管理サーバである、ＧＡＭサーバである。
【手続補正７】
【補正対象書類名】明細書
【補正対象項目名】０３１３
【補正方法】変更
【補正の内容】
【０３１３】
このような問題を解決するものとして、バーコードやQRコード（登録商標）等（以下、総称して「バーコード」という）の媒体面上に印刷されるコードパターンを用いてコンピュータに情報を入力することのできる情報処理機器およびサービス提供システムが提案されている。すなわち、業者が提供するカタログやホームページ上にバーコードが記載されており、ユーザ（オペレータ）が、コンピュータに接続されたバーコードリーダを用いてバーコードを読み取ると、希望する情報を得たり商品を購入したりすることのできるものである（たとえば、特開２００５−４５７４号公報）。